【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
端末装置がネットワークを介してアクセス可能なサーバ装置であって、
前記端末装置上に表示されたＷｅｂページに関するスクロール操作情報と、当該Ｗｅｂページを特定するためのＷｅｂページ特定情報とを当該端末装置から取得する情報取得手段と、
前記取得した前記スクロール操作情報と前記Ｗｅｂページ特定情報とを対応付けて記憶する記憶手段と、
複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定手段と、
を備え、
前記表示順序決定手段は、前記抽出したスクロール操作情報に基づいて前記関心度を算出する際に、ユーザが前記コンテンツの内容を把握する時間に影響を与えるパラメータに応じた重み付けにより当該関心度を調整することを特徴とするサーバ装置。
【請求項２】
請求項１に記載のサーバ装置において、
前記決定された表示順序で構成されたＷｅｂページの一覧を示すＷｅｂページ一覧情報を前記端末装置に送信するＷｅｂページ一覧情報送信手段
を備える特徴とするサーバ装置。
【請求項３】
請求項２に記載のサーバ装置において、
前記決定された表示順序で構成されたＷｅｂページの一覧を示す情報から所定の範囲までのＷｅｂページの情報を抽出するＷｅｂページ情報抽出手段を備え、
前記Ｗｅｂページ一覧情報送信手段は、前記Ｗｅｂページ情報抽出手段により抽出された範囲のＷｅｂページの一覧を示すＷｅｂページ一覧情報を前記端末装置に送信することを特徴とするサーバ装置。
【請求項４】
請求項３に記載のサーバ装置において、
前記端末装置の画面サイズを示す画面サイズ情報又は端末装置上に表示されたＷｅｂページにおける表示文字サイズを示す表示文字サイズ情報の少なくともいずれか一方を取得する端末情報取得手段と、
前記端末情報取得手段によって取得された画面サイズ又は表示文字サイズに基づいてＷｅｂページ情報抽出手段によって抽出されるＷｅｂページ情報の範囲を決定する抽出範囲決定手段と、
を備える特徴とするサーバ装置。
【請求項５】
請求項１乃至４の何れか一項に記載のサーバ装置において、
前記記憶手段には、複数のＷｅｂサイトから提供された複数のＷｅｂページの夫々に対応する前記スクロール操作情報と前記Ｗｅｂページ特定情報とが、前記Ｗｅｂサイト毎に判別可能に記憶されており、
前記記憶手段に記憶されている各前記Ｗｅｂページ特定情報に対応するＷｅｂページを提供した前記Ｗｅｂサイトの一覧を示すＷｅｂサイト一覧情報を前記端末装置に送信するＷｅｂサイト一覧情報送信手段と、
前記端末装置上に表示されたＷｅｂサイトの一覧の中から前記ユーザにより指定されたＷｅｂサイトから提供されるＷｅｂページの一覧を、前記決定された表示順序で前記端末装置に表示させる表示制御手段と、
を備える特徴とするサーバ装置。
【請求項６】
請求項１乃至５の何れか一項に記載のサーバ装置において、
前記表示順序決定手段は、前記Ｗｅｂサイト毎に、前記複数のＷｅｂページの夫々に対応する前記スクロール操作情報と前記Ｗｅｂページ特定情報を前記記憶手段から抽出し、当該Ｗｅｂサイト毎に抽出した各スクロール操作情報に基づいて各前記Ｗｅｂサイトの表示順序を決定し、
前記Ｗｅｂサイト一覧情報送信手段は、前記決定されたＷｅｂサイトの表示順序で構成された前記Ｗｅｂサイトの一覧を示すＷｅｂサイト一覧情報を前記端末装置に送信することを特徴とするサーバ装置。
【請求項７】
請求項１に記載のサーバ装置において、
前記スクロール操作情報には、スクロール操作速度が示されており、
前記表示順序決定手段は、前記スクロール操作情報に示されるスクロール操作速度が遅いほど前記関心度が大きくなるように算出し、当該算出した関心度が大きいほど前記表示順位が上位になるように決定することを特徴とするサーバ装置。
【請求項８】
請求項１に記載のサーバ装置において、
前記スクロール操作情報には、スクロール操作時間が示されており、
前記表示順序決定手段は、前記スクロール操作情報に示されるスクロール操作時間が長いほど前記関心度が大きくなるように算出し、当該算出した関心度が大きいほど前記表示順位が上位になるように決定することを特徴とするサーバ装置。
【請求項９】
請求項１に記載のサーバ装置において、
前記スクロール操作情報には、スクロール操作速度が示されており、
前記表示順序決定手段は、前記スクロール操作情報に示されるスクロール操作速度の変化頻度が多いほど前記関心度が大きくなるように算出し、当該算出した関心度が大きいほど前記表示順位が上位になるように決定することを特徴とするサーバ装置。
【請求項１０】
請求項１乃至９の何れか一項に記載のサーバ装置において、
前記情報取得手段は、前記端末装置の画面サイズを示す画面サイズ情報を、前記スクロール操作情報と前記Ｗｅｂページ特定情報と共に当該端末装置から取得し、
前記記憶手段は、前記取得した前記スクロール操作情報と前記Ｗｅｂページ特定情報と前記画面サイズ情報とを対応付けて記憶し、
前記表示順序決定手段は、複数のＷｅｂページの夫々に対応する前記スクロール操作情報と前記Ｗｅｂページ特定情報と前記画面サイズ情報を前記記憶手段から抽出し、当該抽出したスクロール操作情報に基づいて前記関心度を算出する際に、前記パラメータとして前記抽出した画面サイズ情報に示される画面サイズに応じた重み付けにより当該関心度を調整することを特徴とするサーバ装置。
【請求項１１】
請求項１乃至９の何れか一項に記載のサーバ装置において、
前記情報取得手段は、前記端末装置上に表示されたＷｅｂページにおける表示文字サイズを示す表示文字サイズ情報を、前記スクロール操作情報と前記Ｗｅｂページ特定情報と共に当該端末装置から取得し、
前記記憶手段は、前記取得した前記スクロール操作情報と前記Ｗｅｂページ特定情報と前記表示文字サイズ情報とを対応付けて記憶し、
前記表示順序決定手段は、複数のＷｅｂページの夫々に対応する前記スクロール操作情報と前記Ｗｅｂページ特定情報と前記表示文字サイズ情報を前記記憶手段から抽出し、当該抽出したスクロール操作情報に基づいて前記関心度を算出する際に、前記パラメータとして前記抽出した表示文字サイズ情報に示される表示文字サイズに応じた重み付けにより当該関心度を調整することを特徴とするサーバ装置。
【請求項１２】
請求項１乃至１１の何れか一項に記載のサーバ装置において、
前記スクロール操作情報には、スクロール操作速度が示されており、
前記スクロール操作速度は、前記Ｗｅｂページがスクロールした変移量を、スクロール操作開始から次のスクロール操作開始までのスクロール操作時間で除することにより算出されることを特徴とするサーバ装置。
【請求項１３】
端末装置がネットワークを介してアクセス可能なサーバ装置における情報提供方法であって、
前記端末装置上に表示されたＷｅｂページに関するスクロール操作情報と、当該Ｗｅｂページを特定するためのＷｅｂページ特定情報とを当該端末装置から取得するステップと、
前記取得した前記スクロール操作情報と前記Ｗｅｂページ特定情報とを対応付けて記憶するステップと、
複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定ステップと、
を含み、
前記表示順序決定ステップにおいては、前記抽出したスクロール操作情報に基づいて前記関心度を算出する際に、ユーザが前記コンテンツの内容を把握する時間に影響を与えるパラメータに応じた重み付けにより当該関心度を調整することを特徴とする情報提供方法。
【請求項１４】
端末装置がネットワークを介してアクセス可能なコンピュータを、
前記端末装置上に表示されたＷｅｂページに関するスクロール操作情報と、当該Ｗｅｂページを特定するためのＷｅｂページ特定情報とを当該端末装置から取得する情報取得手段、
前記取得した前記スクロール操作情報と前記Ｗｅｂページ特定情報とを対応付けて記憶する記憶手段、及び、
複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定手段として機能させ、
前記表示順序決定手段が、前記抽出したスクロール操作情報に基づいて前記関心度を算出する際に、ユーザが前記コンテンツの内容を把握する時間に影響を与えるパラメータに応じた重み付けにより当該関心度を調整するように機能させることを特徴とする情報提供プログラム。
【請求項１５】
端末装置と、該端末装置がネットワークを介してアクセス可能なサーバ装置とを備える情報提供システムにおいて、
前記端末装置は、
該端末装置上に表示されたＷｅｂページに関するスクロール操作情報を取得する取得手段と、
前記取得されたスクロール操作情報と、前記Ｗｅｂページを特定するためのＷｅｂページ特定情報とを、前記サーバ装置に送信する送信手段と、
前記サーバ装置は、
前記端末装置から送信されてきた前記スクロール操作情報と前記Ｗｅｂページ特定情報とを受信する受信手段と、
前記受信された前記スクロール操作情報と前記Ｗｅｂページ特定情報とを対応付けて記憶する記憶手段と、
複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定手段と、
を備え、
前記表示順序決定手段は、前記抽出したスクロール操作情報に基づいて前記関心度を算出する際に、ユーザが前記コンテンツの内容を把握する時間に影響を与えるパラメータに応じた重み付けにより当該関心度を調整することを特徴とする情報提供システム。
【手続補正２】
【補正対象書類名】明細書
【補正対象項目名】０００８
【補正方法】変更
【補正の内容】
【０００８】
上記課題を解決するために、請求項１に記載の発明は、端末装置がネットワークを介してアクセス可能なサーバ装置であって、前記端末装置上に表示されたＷｅｂページに関するスクロール操作情報と、当該Ｗｅｂページを特定するためのＷｅｂページ特定情報とを当該端末装置から取得する情報取得手段と、前記取得した前記スクロール操作情報と前記Ｗｅｂページ特定情報とを対応付けて記憶する記憶手段と、複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定手段と、を備え、前記表示順序決定手段は、前記抽出したスクロール操作情報に基づいて前記関心度を算出する際に、ユーザが前記コンテンツの内容を把握する時間に影響を与えるパラメータに応じた重み付けにより当該関心度を調整することを特徴とする。
【手続補正３】
【補正対象書類名】明細書
【補正対象項目名】０００９
【補正方法】変更
【補正の内容】
【０００９】
この発明によれば、ユーザに煩雑さを感じさせず、なおかつ、情報提供装置の運営者側にも手間を生じさせることなく、ユーザに対して、興味のあるＷｅｂページの一覧を関心度の高いＷｅｂページ順に閲覧させることができる。また、ユーザが関心度（興味度）の高さが直接反映された該表示順序を決定することができる。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】変更
【補正の内容】
【００２２】
請求項７に記載の発明は、請求項１に記載のサーバ装置において、前記スクロール操作情報には、スクロール操作速度が示されており、前記表示順序決定手段は、前記スクロール操作情報に示されるスクロール操作速度が遅いほど前記関心度が大きくなるように算出し、当該算出した関心度が大きいほど前記表示順位が上位になるように決定することを特徴とする。
【手続補正７】
【補正対象書類名】明細書
【補正対象項目名】００２４
【補正方法】変更
【補正の内容】
【００２４】
請求項８に記載の発明は、請求項１に記載のサーバ装置において、前記スクロール操作情報には、スクロール操作時間が示されており、前記表示順序決定手段は、前記スクロール操作情報に示されるスクロール操作時間が長いほど前記関心度が大きくなるように算出し、当該算出した関心度が大きいほど前記表示順位が上位になるように決定することを特徴とする。
【手続補正８】
【補正対象書類名】明細書
【補正対象項目名】００２６
【補正方法】変更
【補正の内容】
【００２６】
請求項９に記載の発明は、請求項１に記載のサーバ装置において、前記スクロール操作情報には、スクロール操作速度が示されており、前記表示順序決定手段は、前記スクロール操作情報に示されるスクロール操作速度の変化頻度が多いほど前記関心度が大きくなるように算出し、当該算出した関心度が大きいほど前記表示順位が上位になるように決定することを特徴とする。
【手続補正９】
【補正対象書類名】明細書
【補正対象項目名】００２８
【補正方法】変更
【補正の内容】
【００２８】
請求項１０に記載の発明は、請求項１乃至９の何れか一項に記載のサーバ装置において、前記情報取得手段は、前記端末装置の画面サイズを示す画面サイズ情報を、前記スクロール操作情報と前記Ｗｅｂページ特定情報と共に当該端末装置から取得し、前記記憶手段は、前記取得した前記スクロール操作情報と前記Ｗｅｂページ特定情報と前記画面サイズ情報とを対応付けて記憶し、前記表示順序決定手段は、複数のＷｅｂページの夫々に対応する前記スクロール操作情報と前記Ｗｅｂページ特定情報と前記画面サイズ情報を前記記憶手段から抽出し、当該抽出したスクロール操作情報に基づいて前記関心度を算出する際に、前記パラメータとして前記抽出した画面サイズ情報に示される画面サイズに応じた重み付けにより当該関心度を調整することを特徴とする。
【手続補正１０】
【補正対象書類名】明細書
【補正対象項目名】００３０
【補正方法】変更
【補正の内容】
【００３０】
請求項１１に記載の発明は、請求項１乃至９の何れか一項に記載のサーバ装置において、前記情報取得手段は、前記端末装置上に表示されたＷｅｂページにおける表示文字サイズを示す表示文字サイズ情報を、前記スクロール操作情報と前記Ｗｅｂページ特定情報と共に当該端末装置から取得し、前記記憶手段は、前記取得した前記スクロール操作情報と前記Ｗｅｂページ特定情報と前記表示文字サイズ情報とを対応付けて記憶し、前記表示順序決定手段は、複数のＷｅｂページの夫々に対応する前記スクロール操作情報と前記Ｗｅｂページ特定情報と前記表示文字サイズ情報を前記記憶手段から抽出し、当該抽出したスクロール操作情報に基づいて前記関心度を算出する際に、前記パラメータとして前記抽出した表示文字サイズ情報に示される表示文字サイズに応じた重み付けにより当該関心度を調整することを特徴とする。
【手続補正１１】
【補正対象書類名】明細書
【補正対象項目名】００３２
【補正方法】変更
【補正の内容】
【００３２】
請求項１２に記載の発明は、請求項１乃至１１の何れか一項に記載のサーバ装置において、前記スクロール操作情報には、スクロール操作速度が示されており、前記スクロール操作速度は、前記Ｗｅｂページがスクロールした変移量を、スクロール操作開始から次のスクロール操作開始までのスクロール操作時間で除することにより算出されることを特徴とする。
【手続補正１２】
【補正対象書類名】明細書
【補正対象項目名】００３４
【補正方法】変更
【補正の内容】
【００３４】
請求項１３に記載の発明は、端末装置がネットワークを介してアクセス可能なサーバ装置における情報提供方法であって、前記端末装置上に表示されたＷｅｂページがユーザによるスクロール操作に応じてスクロールしたときの当該スクロールに関するスクロール操作情報と、当該Ｗｅｂページを特定するためのＷｅｂページ特定情報とを当該端末装置から取得するステップと、前記取得した前記スクロール操作情報と前記Ｗｅｂページ特定情報とを対応付けて記憶するステップと、複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定ステップと、を含み、前記表示順序決定ステップにおいては、前記抽出したスクロール操作情報に基づいて前記関心度を算出する際に、ユーザが前記コンテンツの内容を把握する時間に影響を与えるパラメータに応じた重み付けにより当該関心度を調整することを特徴とする。
【手続補正１３】
【補正対象書類名】明細書
【補正対象項目名】００３５
【補正方法】変更
【補正の内容】
【００３５】
請求項１４に記載の情報提供プログラムの発明は、端末装置がネットワークを介してアクセス可能なコンピュータを、前記端末装置上に表示されたＷｅｂページがユーザによるスクロール操作に応じてスクロールしたときの当該スクロールに関するスクロール操作情報と、当該Ｗｅｂページを特定するためのＷｅｂページ特定情報とを当該端末装置から取得する情報取得手段、前記取得した前記スクロール操作情報と前記Ｗｅｂページ特定情報とを対応付けて記憶する記憶手段、及び、複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定手段として機能させ、前記表示順序決定手段が、前記抽出したスクロール操作情報に基づいて前記関心度を算出する際に、ユーザが前記コンテンツの内容を把握する時間に影響を与えるパラメータに応じた重み付けにより当該関心度を調整するように機能させることを特徴とする。
【手続補正１４】
【補正対象書類名】明細書
【補正対象項目名】００３６
【補正方法】変更
【補正の内容】
【００３６】
請求項１５に記載の発明は、端末装置と、該端末装置がネットワークを介してアクセス可能なサーバ装置とを備える情報提供システムにおいて、前記端末装置は、該端末装置上に表示されたＷｅｂページがユーザによるスクロール操作に応じてスクロールしたときの当該スクロールに関するスクロール操作情報を取得する取得手段と、前記取得されたスクロール操作情報と、前記Ｗｅｂページを特定するためのＷｅｂページ特定情報とを、前記サーバ装置に送信する送信手段と、前記サーバ装置は、前記端末装置から送信されてきた前記スクロール操作情報と前記Ｗｅｂページ特定情報とを受信する受信手段と、前記受信された前記スクロール操作情報と前記Ｗｅｂページ特定情報とを対応付けて記憶する記憶手段と、複数のＷｅｂページの夫々に対応する前記スクロール操作情報と前記Ｗｅｂページ特定情報を前記記憶手段から抽出し、当該抽出した各スクロール操作情報に基づいて、前記抽出した各Ｗｅｂページ特定情報により特定されるＷｅｂページに対するユーザの関心度を算出し、当該算出した各Ｗｅｂページに対するユーザの関心度に基づいて、前記Ｗｅｂページの表示順序を決定する表示順序決定手段と、を備え、前記表示順序決定手段は、前記抽出したスクロール操作情報に基づいて前記関心度を算出する際に、ユーザが前記コンテンツの内容を把握する時間に影響を与えるパラメータに応じた重み付けにより当該関心度を調整することを特徴とする。